(57)【要約】【課題】着用時の使用感がよく、下部ガード部における液の吸収性に優れた男性用失禁パッドを提供すること。【解決手段】一枚のシート状部材２からカップ形状に形成された男性用失禁パッド１であって、性器をその下方からガードする下部ガード部３と、性器をその前方からガードする前部ガード部４とからなり、シート状部材２の形状は、上縁中央がＶ形状を有しており、前部ガード部４は、上縁におけるＶ形状を形成する一対の側縁部２１，２１が互いに接合されて形成されており、下部ガード部３は、前部ガード部４の接合形成に伴って前部ガード部４の下方に形成されている。【選択図】図１
2008136641.tif 000002
【特許請求の範囲】
【請求項１】
一枚のシート状部材からカップ形状に形成された男性用失禁パッドであって、
性器をその下方からガードする下部ガード部と、性器をその前方からガードする前部ガード部とからなり、
前記シート状部材の形状は、上縁中央がＶ形状を有しており、
前記前部ガード部は、前記上縁におけるＶ形状を形成する一対の側縁部が互いに接合されて形成されており、
前記下部ガード部は、前記前部ガード部の接合形成に伴って該前部ガード部の下方に形成されている男性用失禁パッド。
【請求項２】
前記Ｖ形状のＶをなす角度は、３０〜１５０°である請求項１記載の男性用失禁パッド。
【請求項３】
前記前部ガード部の上方の外面には、前記男性用失禁パッドを下着に固定する２枚の同形の矩形形状の固定テープが、一対の前記側縁部同士の接合によって形成された接合部に対して線対称に配されている請求項１又は２記載の男性用失禁パッド。
【請求項４】
前記固定テープは、長方形状で、その長辺と前記接合部とのなす角度は、１５〜７５°である請求項３記載の男性用失禁パッド。
【請求項５】
前記シート状部材は、液透過性の表面シート、液不透過性の裏面シート及びこれら両シート間に介在された液保持性の吸収体から形成されている請求項１ないし４の何れかに記載の男性用失禁パッド。
【発明の詳細な説明】
【技術分野】
【０００１】
本発明は、立体形状を有する男性用失禁パッドに関する。
【背景技術】
【０００２】
従来、失禁症状のある男性用に、性器全体を覆うような立体形状を有する男性用失禁パッドが知られている。このような男性用失禁パッドとして、特許文献１には、一枚のシートから形成され、性器をその下方からガードする下部ガード部と、性器をその前方からガードする前部ガード部とからなり、カップ形状を有する男性用失禁パッドが開示されている。
【０００３】
【特許文献１】特表昭６２−５０２８５５号公報
【発明の開示】
【発明が解決しようとする課題】
【０００４】
特許文献１記載の男性用失禁パッドは、一枚のシートからカップ形状を形成するための接合部が、着用者の陰嚢が接する下部ガード部に形成されている。この接合部は、ヒートシールや接着剤によって該シートが接合されて形成されているため、接合されていない部分よりも硬くなり、また液の吸収性も接合されていない部分よりも悪くなる。そのため、特許文献１記載の男性用失禁パッドにおいては、着用時に接合部が陰嚢に当たり、使用感が悪いという問題があった。また、特許文献１記載の男性用失禁パッドのようなカップ形状を有する男性用失禁パッドは、陰茎が下を向いた状態で着用されるため、下部ガード部において高い液の吸収性が求められる。しかし、特許文献１記載の男性用失禁パッドにおいては、下部ガード部に接合部が形成されているため、該下部ガード部における液の吸収性が悪いという問題もあった。
【０００５】
従って、本発明の目的は、着用時の使用感がよく、下部ガード部における液の吸収性に優れた男性用失禁パッドを提供することにある。
【課題を解決するための手段】
【０００６】
本発明は、一枚のシート状部材からカップ形状に形成された男性用失禁パッドであって、性器をその下方からガードする下部ガード部と、性器をその前方からガードする前部ガード部とからなり、前記シート状部材の形状は、上縁中央がＶ形状を有しており、前記前部ガード部は、前記上縁におけるＶ形状を形成する一対の側縁部が互いに接合されて形成されており、前記下部ガード部は、前記前部ガード部の接合形成に伴って該前部ガード部の下方に形成されている男性用失禁パッドを提供することにより、上記目的を達成したものである。
【発明の効果】
【０００７】
本発明の男性用失禁パッドによれば、下部ガード部にシート状部材の接合部を有していないため、装着時の使用感がよく、下部ガード部における液の吸収性に優れる。
【発明を実施するための最良の形態】
【０００８】
以下、本発明の男性用失禁パッドについて、その好ましい一実施形態（第１実施形態）に基づき、図面を参照しながら説明する。
第１実施形態の男性用失禁パッド１は、図１〜図３に示すように、一枚のシート状部材２からカップ形状に形成されており、性器をその下方からガードする下部ガード部３と性器をその前方からガードする前部ガード部４とからなる。
前記シート状部材２の形状は、図２に示すように、上縁中央がＶ形状を有しており、前記前部ガード部４は、前記上縁におけるＶ形状を形成する一対の側縁部２１，２１が互いに接合されて形成されており、前記下部ガード部３は、前記前部ガード部４の接合形成に伴って該前部ガード部４の下方に形成されている
【０００９】
第１実施形態の男性用失禁パッド１について更に説明すると、一枚のシート部材２は、図２に示すように、縦中心線Ｓ１に対して左右対称のハート様形状を有している。縦中心線Ｓ１は、ハート様形状のシート状部材２において、その上縁における一対の側縁部２１，２１のＶ形状の折曲点Ｐ１とシート状部材２の下端部Ｐ３とを結ぶ直線である。シート状部材２において、ハート様形状の曲線縁部を形成する一対の側縁２２，２２は、一対の該側縁部２１，２１それぞれの上端Ｐ２から下方に向けて延びている。一対の該側縁２２，２２は、図２に示すように、その間隔が上端Ｐ２から下方に向けて、徐々に広がった後、ハート様形状の中央部が若干括れるように狭まっており、下端部Ｐ３において繋がっている。また、シート状部材２の下端部Ｐ３は丸みを帯びている。
【００１０】
前記シート状部材２は、一対の側縁部２１，２１が互いに接合され、図１に示すように、カップ形状を形成している。一対の側縁部２１，２１は、シート状部材２の内面側を互いに突き合わせて接合されており、該接合により形成された接合部６は、男性用失禁パッド１の外面に向かって突出している。
また、上述したように、前部ガード部４は、一対の側縁部２１，２１が接合されて形成されており、下部ガード部３には、接合部６は形成されていない。また、接合部６は、前部ガード部４の中央に位置しており、縦方向に直線状に延びている。
【００１１】
一対の側縁部２１，２１の接合には、ヒートシールや超音波シール等の溶着手段や接着剤による接着手段が用いられる。第１実施形態においては、接合部６は、ヒートシールによって形成されている。
【００１２】
第１実施形態において、一対の側縁部２１，２１のＶをなす角度θ１（図２参照）は、好ましくは３０〜１５０°、更に好ましくは３０〜９０°である。一対の側縁部２１，２１のそれぞれの長さは、好ましくは５０〜１００ｍｍである。縦中心線Ｓ１の長さは、着用者の陰嚢全体をガードし、下部ガード部３からの液の漏れを防止する観点から、好ましくは５０〜１５０ｍｍ、更に好ましくは７０〜１２０ｍｍである。
【００１３】
第１実施形態の男性用失禁パッド１においては、前部ガード部４の上方の外面に、男性用失禁パッド１を下着に固定するための２枚の同形の矩形形状の固定テープ５が、接合部６に対して線対称に配されている。該固定テープ５とシート状部材２との接合には粘着剤等が用いられる。
固定テープ５は、その外面が剥離紙（図示せず）によって被覆されており、使用時には剥離紙を剥がして下着に固定される。
【００１４】
固定テープ５は、長方形をしており、また、男性用失禁パッド１を下着に安定的に固定する観点から、その長辺５１の長さは、好ましくは２０〜１００ｍｍ、その短辺５２の長さは、好ましくは５〜３０ｍｍである。また、固定テープ５の長辺５１と前記接合部６とのなす角度θ２（図３参照）は、好ましくは１５〜７５°、更に好ましくは２０〜７０°、最も好ましくは３０〜６０°である。
【００１５】
第１実施形態の男性用失禁パッド１におけるシート状部材２としては、水への分散性能を示す繊維成分を主体とする水解シート状部材を用いることが好ましい。水解シート状部材に好ましく用いられる繊維成分としては、木材パルプ繊維、非木材系植物繊維、レーヨン繊維、ポリエステル繊維等の合成繊維等を挙げることができる。水解シート状部材には、必要に応じ、多糖誘導体、合成高分子及び天然物等の水溶性バインダー、紙力増強剤等を含有させることができる。
【００１６】
また、固定テープ５としては、剥離シートに接着剤を塗布したものが使用できる。剥離シートとしては、剥離紙、剥離処理した不織布、剥離処理したポリエチレンラミネート紙若しくは剥離処理したポリエチレンフィルムなどを使用することができる。剥離処理剤あるいは剥離紙の剥離剤成分としてはシリコーン樹脂系、フッソ樹脂系、又はオクタデシルイソシアネート系等のものが好ましい。特に、上記剥離処理としては、上記剥離処理剤として、シリコーン樹脂系のものを用い、該剥離処理剤を不織布等に塗布して加熱乾燥、紫外線照射などにより高分子量化するか、該剥離処理剤を不織布等にスプレーで吹きつけ薄い被膜を形成させる等するのが好ましい。
【００１７】
接着剤としては、例えば、スチレン−ブタジエン−スチレン(ＳＢＳ)系、スチレン-エチレン−ブタジエン−スチレン(ＳＥＢＳ)系、スチレン−イソプレン−スチレン(ＳIＳ)系等が適しているが、失禁ライナー、生理用ナプキンや使い捨ておむつ等に従来用いられている各種公知のものを特に制限なく用いることができる。
さらに固定テープ５としては、メカニカルファスナーのフック材を用いることもできる。フックとしては鈎状、キノコ状等、各種公知の形状のものを特に制限なく用いることができる。
【００１８】
第１実施形態の男性用失禁パッドは、使用前には、縦中心線Ｓ１に沿って二つに折り畳まれており、使用時に一対の両側縁２２，２２を左右に開くことにより、カップ状の立体形状が形成される。そして、前部ガード部４の上方の外面に配された２枚の固定テープ５を、接合部６が着用者の身体の中心線に沿うように着用者の下着に固定して着用される。
従って、男性用失禁パッド１は、縦長の矩形形状の固定テープ５が斜めに傾いた状態で下着に固定されて使用される。
【００１９】
このような構成の男性用失禁パッド１によれば、該男性用失禁パッド１が下部ガード部３及び前部ガード部４からなるカップ形状を有するため、男性器全体を覆うことができ、漏れ防止効果が高い。
また、接合部６が前部ガード部４に位置しており、下部ガード部３には接合部６は設けられていないため、着用時の使用感がよく、下部ガード部３における液の吸収性に優れる。
【００２０】
また、固定テープ５が接合部６に対して斜めに配されており、男性用失禁パッド１を着用者の胴周り方向に幅広く固定できるため、着用時に男性用失禁パッド１が下着からずれ落ちにくい。
また、男性用失禁パッド１には、着用者の身体の動きによって着用者の股下部に位置する縦中心線Ｓ１を軸として左右に傾くように力が加わるが、第１実施形態においては、固定テープ５が接合部６に対して斜めに配されることにより、男性用失禁パッド１が傾く方向に対しても、固定テープ５が下着に幅広く固定されている。従って、男性用失禁パッド１は、着用者の身体の動きによって左右に倒れにくい。
また、シート状部材２は、その下端部Ｐ３が丸みを帯びて形成されているため、男性用失禁パッド１の着用時に着用者の身体に傷が付きにくい。
【００２１】
次に、上述した第１実施形態の男性用失禁パッドの好適な製造方法について説明する。本製造方法は、第１実施形態の男性用失禁パッド１を連続的に製造する方法である。
本製造方法においては、先ず、図４（ａ）に示すように、帯状のシート状部材２０が幅方向に２つ折りにされる。
次いで、図４（ｂ）に示すように、２つ折りにした帯状のシート状部材２０の所定位置に、接合部６が形成される。接合部６は、帯状のシート状部材２０の流れ方向（ＭＤ方向）に所定の間隔をおいて形成される。接合部６と２つ折りにした帯状のシート状部材２０の折り線とのなす角度θ３が１５〜７５°となるように形成されることによって、上述したように、前記Ｖ形状のＶをなす角度θ１が３０〜１５０°となる。
【００２２】
次いで、図４（ｃ）に示すように、帯状のシート状部材２０の流れ方向に沿って搬送される帯状の固定テープ５０を間欠的に切断して縦長の矩形形状の固定テープ５を形成し、この固定テープ５を、隣接する接合部６間の所定位置に配置して男性用失禁パッド連続体を得る。この際、固定テープ５は、その長辺５１が帯状のシート状部材２０の流れ方向に垂直となるように配置される。
接合部６と帯状のシート状部材２０の流れ方向とのなす角度θ３が１５〜７５°となるように形成されていると共に、固定テープ５の長辺５１が帯状のシート状部材２０の流れ方向に垂直となるように配置されているため、固定テープ５の長辺５１と接合部６とのなす角度θ２は、図４（ｄ）に示すように、１５〜７５°となる。
【００２３】
次いで、図４（ｅ）に示すように、男性用失禁パッド連続体１０を所定形状に切断して、第１実施形態の男性用失禁パッド１を得る。
【００２４】
本製造方法によれば、帯状のシート状部材２０及び帯状の固定テープ５０を用いて、第１実施形態の男性用失禁パッド１を安定して連続的に生産することができる。
また、本製造方法によれば、図４（ｃ）に示すように、帯状の固定テープ５０と帯状のシート状部材２０とを同じ方向に搬送しながら第１実施形態の男性用失禁パッド１を製造できるため、簡単な製造方法によって本発明の男性用失禁パッド１の製造が可能である。
【００２５】
次に、図５に示す本発明の第２実施形態の男性用失禁パッドについて説明する。第２実施形態については、上述した第１実施形態と異なる点を説明し、同様の点は、同一の符号を付して説明を省略する。特に説明しない点は、第１実施形態についての説明が適宜適用される。
【００２６】
第２実施形態の男性用失禁パッド１においては、第１実施形態に比して、シート状部材２が、着用者の肌当接面側に位置する液透過性の表面シート（図示せず）、着用者の非肌当接面側に位置する液不透過性の裏面シート２３及びこれら両シート間に介在された液保持性の吸収体２４からなる点が異なる。
第２実施形態の男性用失禁パッド１においては、図５に示すように、吸収体２４は下部ガード部３及び前部ガード部４に亘って配されている。尚、図５及び後述する図６においては、表面シートの図示を省略している。
【００２７】
また、下部ガード部３に接合部６は設けられておらず、下部ガード部３の全面に亘り吸収体２４が配されている。
更に、図５に示すように、前部ガード部４に形成された接合部６の近傍には、吸収体２４は配されておらず、前部ガード部４において、吸収体２４は左右に分かれて配されている
【００２８】
第２実施形態の男性用失禁パッドによれば、第１実施形態と同様の効果が奏される他に、吸収体２４が、下部ガード部３及び前部ガード部４に亘って配されているため、男性用失禁パッド１の全体における液保持性が向上しており、比較的重度の失禁症状の男性に適している。また、下部ガード部３に接合部６が設けられていないため、下部ガード部３の全面に亘り吸収体２４を配することができる。
また、通常陰茎は、下着の着用時には身体の中央部には配されず、左右のどちらかに偏って配されている。従って、前部ガード部４において、吸収体２４が左右に分かれて配されることにより、排泄された尿を効果的に吸収できる。
【００２９】
図６に示す第３実施形態の男性用失禁パッド１においては、第２実施形態に比して、吸収体２４が、下部ガード部３のみに配されている点が異なる。
第３実施形態の男性用失禁パッド１によれば、第１実施形態と同様の効果が奏される他に、下部ガード部３のみに吸収体２４が配されて、下部ガード部３における液保持性が向上しており、中程度の失禁症状の男性に適している。また、前部ガード部４には、吸収体２４は配されていないため、陰茎に対する圧迫感が生じにくい。
【００３０】
尚、軽度の失禁症状の男性に対しては、第１実施形態のように、吸収体２４を備えず、１枚の吸収性及び防漏性を有するシートから形成されたものが適している。また、図示はしていないが、シート状部材２を、少量の液吸収性を有する表面シート及び防漏性を有する裏面シートの２枚のシートから構成することも好ましい。
このように吸収体２４を用いずに男性用失禁パッド１を構成することにより、男性用失禁パッド１の厚みをうすくすることができ、着用時の装着感を向上させることができる。
第１実施形態から第３実施形態に示すように、本発明の男性用失禁パッド１は、一枚のシート状部材２の構成（特に、吸収体２４の有無や配置）を変えることによって、症状の軽い男性から症状の重い男性まで、異なる程度の症状に対応できるという利点も有している。
【００３１】
第２実施形態及び第３実施形態の男性用失禁パッド１におけるシート状部材２を構成する表面シート、裏面シート２３としては、生理用ナプキン、使い捨ておむつ等の吸収性物品に従来用いられているものを、特に制限なく用いることができる。吸収体２４としては、生理用ナプキン、使い捨ておむつ等の吸収性物品に従来用いられているものを、特に制限なく用いることができるが、男性用失禁パッド１の厚みを薄く構成する観点から、高吸水ポリマーとパルプ繊維を用い、パルプ繊維の重量を高吸水ポリマー重量の１．３倍以下、好ましくは１．０倍以下にすることが好ましい。
【００３２】
本発明の男性用失禁パッドは、前述した実施形態に制限されることなく、本発明を逸脱しない限り適宜変更が可能である。
本発明におけるシート状部材２の形状は、第１実施形態及び第２実施形態の形状に制限されない。例えば、上縁における一対の側縁部２１，２１は、曲線状でもよい。また、一対の側縁２２，２２は、ハート様形状の下端部Ｐ３において直接繋がっていなくてもよく、直線又は曲線からなる底縁を介して繋がっていてもよい。即ち、シート状部材２の形状は、ハート様形状に限られない。
また、２枚の固定テープ５は同形でなくてもよく、またその形状は矩形に限られない。
【図面の簡単な説明】
【００３３】
【図１】図１は、本発明の男性用失禁パッドの第１実施形態の斜視図である。
【図２】図２は、図１に示す男性用失禁パッドを接合部で分離して展開した平面図である。
【図３】図３は、図１に示す男性用失禁パッドを、縦中心線を折り線として二つに折り畳んだ状態を示す平面図である。
【図４】図４（ａ）〜（ｅ）は、図１に示す男性用失禁パッドの一製造方法を示す斜視図である。
【図５】図５は、本発明の男性用失禁パッドの第２実施形態を示す斜視図である。
【図６】図６は、本発明の男性用失禁パッドの第３実施形態を示す斜視図である。
【符号の説明】
【００３４】
１  男性用失禁パッド
１０  男性用失禁パッド連続体
２  シート状部材
２１  上縁における側縁部
２２  側縁
２３  裏面シート
２４  吸収体
３  下部ガード部
４  前部ガード部
５  固定テープ
５１  長辺
５２  短辺
６  接合部
【図１】
2008136641.tif 000003
【図２】
2008136641.tif 000004
【図３】
2008136641.tif 000005
【図４】
2008136641.tif 000006
【図５】
2008136641.tif 000007
【図６】
2008136641.tif 000008